(57)【要約】  機械室レスエレベータにおいて、昇降路（３）のピット（１７）には、最下階乗場（１６）とピット（１７）との間を作業者が移動するために使用されるピット出入り装置（２１、３５）が設けられている。ピット出入り装置（２１、３５）は、ピット（１７）内に常設かつ固定され、作業者の足が乗せられる固定式ステップ（２４ａ−２４ｂ、３７）を有している。固定式ステップ（２４ａ−２４ｂ、３７）は、巻上機（４）及び盤装置（１０）の少なくともいずれか一方である最下階設置機器の下方に配置されており、かつ、真上から見て、最下階設置機器の領域又は最下階設置機器とかご（１）との間の領域に重ねて配置されている。
2016166882.tif 000002
【特許請求の範囲】
【請求項１】
前面と、前記前面に対向する後面と、互いに対向する第１及び第２の側面とを有しており、昇降路内を昇降するかご、  前記昇降路内に設けられており、前記かごの昇降を案内するかごガイドレール、  前記昇降路内に設けられており、前記かごを昇降させる巻上機、  筐体と、前記筐体内に収容されている電気機器とを有しており、かつ、前記昇降路内に設けられている盤装置、及び  最下階乗場と前記昇降路のピットとの間を作業者が移動するために使用されるピット出入り装置  を備え、  前記巻上機及び前記盤装置の少なくともいずれか一方は、前記昇降路内の最下階付近に設置されており、かつ、真上から見て前記第１の側面と昇降路壁との間に配置されている最下階設置機器であり、  前記ピット出入り装置は、前記ピット内に常設かつ固定され、作業者の足が乗せられる固定式ステップを有しており、  前記固定式ステップは、前記最下階設置機器の下方に配置されており、かつ、真上から見て、前記最下階設置機器の領域又は前記最下階設置機器と前記かごとの間の領域に重ねて配置されている機械室レスエレベータ。
【請求項２】
前記ピット出入り装置は、前記ピット内に立てられている一対の支柱と、上下方向に互いに間隔をおいて前記支柱間に水平に設けられている前記固定式ステップとしての複数の横部材とを含む梯子を有している請求項１記載の機械室レスエレベータ。
【請求項３】
少なくともいずれか一方の前記支柱の上端部には、前記最下階設置機器の下端部よりも上方へ延長されてなり、作業者により把持される把持部が設けられている請求項２記載の機械室レスエレベータ。
【請求項４】
前記かごガイドレールには、前記かごガイドレールに交差する方向へ突出する腕部材が固定されており、  前記腕部材には、前記最下階設置機器及び前記梯子が固定されている請求項２又は請求項３に記載の機械室レスエレベータ。
【請求項５】
前記腕部材には、前記最下階設置機器の上端部及び前記梯子の上端部が固定されている請求項４記載の機械室レスエレベータ。
【請求項６】
最上段の前記横部材よりも上方の前記支柱間には、機器固定部材が固定されおり、  前記機器固定部材には、前記最下階設置機器の下端部が固定されている請求項２から請求項５までのいずれか１項に記載の機械室レスエレベータ。
【請求項７】
前記かごガイドレールには、前記かごガイドレールに交差する方向へ突出するアダプタが固定されており、  前記固定式ステップは、前記アダプタに固定されている請求項１記載の機械室レスエレベータ。
【請求項８】
前記ピット出入り装置は、  前記固定式ステップとは別に前記最下階設置機器に設けられており、作業者により把持される把持部材  をさらに有している請求項１から請求項７までのいずれか１項に記載の機械室レスエレベータ。
【請求項９】
前記ピット出入り装置は、  前記固定式ステップとは別に前記かごガイドレールに固定されており、作業者により把持される把持部材  をさらに有している請求項１から請求項７までのいずれか１項に記載の機械室レスエレベータ。
【請求項１０】
前記ピット出入り装置は、真上から見て前記前面に対向する前記ピットの壁面に固定されている追加ステップをさらに有している請求項１から請求項９までのいずれか１項に記載の機械室レスエレベータ。
【発明の詳細な説明】
【技術分野】
【０００１】  この発明は、例えば制御盤等の盤装置又は巻上機が、昇降路内の最下階付近に設置されている機械室レスエレベータに関するものである。
【背景技術】
【０００２】  エレベータの最下階乗場とピットとの間を作業者が移動するために、梯子が常設されている場合がある。梯子は、一般的に、昇降路壁及びピット床面にアンカボルト等を用いて固定される。【０００３】  しかし、機械室レスエレベータでは、昇降路内に配置されている機器が多く、また、昇降路の水平面積をできるだけ縮小することが求められているため、梯子を設置できる平面スペースが限られている。【０００４】  これに対して、従来のエレベータのピット梯子では、第１の支柱及び第２の支柱の間に、複数のステップが上下方向に間隔をおいて設けられている。各ステップは、第１の支柱及び第２の支柱に対してそれぞれ回転可能に連結されている。これにより、ピット梯子は、第２の支柱を第１の支柱に接近させた状態で収納可能になっている（例えば、特許文献１参照）。【０００５】  また、従来の他のエレベータのピット梯子は、固定側支柱と、固定側支柱に対して水平方向へ移動可能な可動側支柱と、固定側支柱と可動側支柱との間に架設されている複数の踏板とを有している。踏板は、可動側支柱の移動により固定側支柱に対してスライド可能になっている。踏板の一部は、可動側支柱が収納位置にあるとき、かごガイドレールの背部に配置される（例えば、特許文献２参照）。【０００６】  さらに、従来のエレベータの梯子保持装置は、ガイドレールに固定された水平な腕部材と、腕部材に設けられている一対のフック部材とを有している。フック部材には、梯子のステップが掛けられる（例えば、特許文献３参照）。【０００７】  さらにまた、従来のエレベータでは、昇降路壁の最下階床付近に制御盤が設置されている。制御盤の下方の昇降路壁には、折り畳み式の作業台が設けられている。制御盤のメンテナンスを行う際には、作業者がピット内に移動し、作業台を組み立てる。そして、作業台に設けられた複数のプレートを踏板として使い、作業台の最上部に移動する（例えば、特許文献４参照）。
【先行技術文献】
【特許文献】
【０００８】
【特許文献１】特開２００４−２２４４９７号公報
【特許文献２】特開２０１３−２２０９１３号公報
【特許文献３】特開２００５−２６３３８７号公報
【特許文献４】特開２００２−１４５５５０号公報
【発明の概要】
【発明が解決しようとする課題】
【０００９】  特許文献１、２に示されているピット梯子は、収納状態と使用状態との間で動かす必要があり、利便性が低い。また、特許文献３に示されている梯子保持装置を用いる場合、梯子を収納場所から取り出してフック部材に掛ける必要があり、やはり利便性が低い。【００１０】  一方、特許文献４に示されている作業台は、ピットに出入りするために使用されるものではなく、使用時には作業者が別のピット梯子等を利用してピット内に移動して、作業台を組み立てる必要がある。【００１１】  この発明は、上記のような課題を解決するためになされたものであり、昇降路のピット内のスペースにピット出入り装置を効率的に設置するとともに、ピットに出入りする際の利便性を向上させることができる機械室レスエレベータを得ることを目的とする。
【課題を解決するための手段】
【００１２】  この発明に係る機械室レスエレベータは、前面と、前面に対向する後面と、互いに対向する第１及び第２の側面とを有しており、昇降路内を昇降するかご、昇降路内に設けられており、かごの昇降を案内するかごガイドレール、昇降路内に設けられており、かごを昇降させる巻上機、筐体と、筐体内に収容されている電気機器とを有しており、かつ、昇降路内に設けられている盤装置、及び最下階乗場と昇降路のピットとの間を作業者が移動するために使用されるピット出入り装置を備え、巻上機及び盤装置の少なくともいずれか一方は、昇降路内の最下階付近に設置されており、かつ、真上から見て第１の側面と昇降路壁との間に配置されている最下階設置機器であり、ピット出入り装置は、ピット内に常設かつ固定され、作業者の足が乗せられる固定式ステップを有しており、固定式ステップは、最下階設置機器の下方に配置されており、かつ、真上から見て、最下階設置機器の領域又は最下階設置機器とかごとの間の領域に重ねて配置されている。
【発明の効果】
【００１３】  この発明の機械室レスエレベータは、ピット内に常設かつ固定されている固定式ステップが、最下階設置機器の下方に配置されており、かつ、真上から見て、最下階設置機器の領域又は最下階設置機器とかごとの間の領域に重ねて配置されているので、昇降路のピット内のスペースにピット出入り装置を効率的に設置するとともに、ピットに出入りする際の利便性を向上させることができる。
【図面の簡単な説明】
【００１４】
【図１】この発明の実施の形態１による機械室レスエレベータを示す概略の平面図である。
【図２】図１の制御盤の周辺を示す正面図である。
【図３】図２の制御盤及び横部材の平面レイアウトの第１の例を示す平面図である。
【図４】図２の制御盤及び横部材の平面レイアウトの第２の例を示す平面図である。
【図５】この発明の実施の形態２による機械室レスエレベータの制御盤の周辺を示す正面図である。
【図６】この発明の実施の形態３による機械室レスエレベータの制御盤の周辺を示す正面図である。
【図７】この発明の実施の形態４による機械室レスエレベータの制御盤の周辺を示す正面図である。
【図８】この発明の実施の形態５による機械室レスエレベータの制御盤の周辺を示す正面図である。
【図９】この発明の実施の形態６による機械室レスエレベータの制御盤の周辺を示す正面図である。
【図１０】この発明の実施の形態７による機械室レスエレベータの巻上機の周辺を示す正面図である。
【図１１】この発明の実施の形態８による機械室レスエレベータの巻上機の周辺を示す正面図である。
【発明を実施するための形態】
【００１５】  以下、この発明を実施するための形態について、図面を参照して説明する。  実施の形態１．  図１はこの発明の実施の形態１による機械室レスエレベータを示す概略の平面図である。図において、カゴ１及び釣合オモリ２は、懸架体（図示せず）により昇降路３内に吊り下げられている。懸架体としては、複数本のロープ又は複数本のベルトが用いられている。
【００１６】  カゴ１は、カゴ出入口が設けられている前面１ａと、前面１ａに対向する後面１ｂと、互いに対向する第１及び第２の側面１ｃ，１ｄとを有している。第１及び第２の側面１ｃ，１ｄは、カゴ１の幅方向（図１の左右方向）両側に配置されている。釣合オモリ２は、カゴ１と同じ高さに位置するときに後面１ｂに対向するように、カゴ１の後方に配置されている。
【００１７】  昇降路３内には、カゴ１及び釣合オモリ２を昇降させる巻上機４が設置されている。巻上機４は、真上から見て、釣合オモリ２の横に配置されている。また、巻上機４は、巻上機本体５と、駆動シーブ６とを有している。巻上機本体５は、駆動シーブ６を回転させる巻上機モータと、駆動シーブ６の回転を制動する巻上機ブレーキとを有している。
【００１８】  駆動シーブ６には、懸架体が巻き掛けられている。カゴ１及び釣合オモリ２は、懸架体により、２：１ローピング方式で吊り下げられており、駆動シーブ６が回転することにより互いに反対方向へ昇降する。
【００１９】  昇降路３内には、カゴ１の昇降を案内する一対のかごガイドレール７ａ，７ｂと、釣合オモリ２の昇降を案内する一対の釣合オモリガイドレール８ａ，８ｂとが設置されている。かごガイドレール７ａ，７ｂ及び釣合オモリガイドレール８ａ，８ｂは、互いに平行、かつ垂直に立てられている。
【００２０】  カゴガイドレール７ａ，７ｂは、カゴ１の幅方向の両側で、カゴ１の前後方向（図１の上下方向）の同じ位置に配置されている。また、カゴガイドレール７ａ，７ｂは、カゴ１を挟んで互いに対向している。昇降路３の底面上には、カゴ緩衝器９が立てられている。
【００２１】  昇降路３内には、カゴ１の運転を制御する盤装置としての制御盤１０が設けられている。制御盤１０は、筐体１１と、筐体１１内に収容されている電気機器１２とを有している。
【００２２】  また、制御盤１０は、昇降路３内の最下階付近に設置されており、かつ、真上から見て第１の側面１ｃとそれに対向する昇降路壁３ａとの間に配置されている。即ち、実施の形態１の最下階設置機器は、制御盤１０である。
【００２３】  さらに、制御盤１０は、カゴガイドレール７ａよりもカゴ１の前後方向の前側に配置されている。
【００２４】  図２は図１の制御盤１０の周辺を示す正面図である。カゴガイドレール７ａ，７ｂは、上下方向に互いに間隔をおいて配置されている複数のレールブラケット１３により、昇降路３内に固定されている。カゴガイドレール７ａには、上側腕部材１４及び下側腕部材１５が互いに平行かつ水平に固定されている。
【００２５】  上側腕部材１４及び下側腕部材１５は、カゴガイドレール７ａから、カゴガイドレール７ａに交差する方向へ突出している。具体的には、上側腕部材１４及び下側腕部材１５は、カゴガイドレール７ａから、カゴ１の前後方向の前側へ直角に突出している。下側腕部材１５は、上側腕部材１４の下方に配置されている。また、上側腕部材１４及び下側腕部材１５は、それぞれ複数のレールクリップを用いてカゴガイドレール７ａに固定されている。
【００２６】  筐体１１は、幅寸法（図２の左右方向の寸法）よりも高さ寸法（図２の上下方向の寸法）の方が大きく、厚さ寸法（図３の上下方向の寸法）が幅寸法よりも小さい縦長薄型の外形を有している。
【００２７】  筐体１１の上端部は、上側腕部材１４に固定されている。筐体１１の下端部は、下側腕部材１５に固定されている。即ち、制御盤１０は、上側腕部材１４及び下側腕部材１５を介してカゴガイドレール７ａに対して固定されている。また、制御盤１０は、その下端部が最下階乗場のフロアレベル１６よりも上方に位置するように配置されている。
【００２８】  昇降路３のピット１７には、最下階乗場とピット１７との間を作業者が移動するために使用されるピット出入り装置としての梯子２１が設けられている。梯子２１は、ピット１７内に垂直に立てられている一対の支柱２２，２３と、作業者の足が乗せられる固定式ステップとしての複数の横部材２４ａ〜２４ｄとを有している。
【００２９】  横部材２４ａ〜２４ｄは、上下方向に互いに間隔（例えば２５０〜３５０ｍｍ）をおいて支柱２２，２３間に水平に固定されている。また、横部材２４ａ〜２４ｄは、制御盤１０の下方に配置されている。
【００３０】  梯子２１は、非使用時にも移動、折り畳み又は収納の必要がなく、そのままの状態で設置されている。即ち、横部材２４ａ〜２４ｄは、ピット１７内に常設かつ固定されており、移動又は組立の必要がなく、そのままの状態で作業者が足を乗せることができる。
【００３１】  支柱２２，２３は、最上段の横部材２４ａよりも上方で、下側腕部材１５に固定されている。また、支柱２２，２３の下端部は、ピット１７の床面１７ａ上に支持され固定されている。
【００３２】  支柱２２，２３の上端部には、制御盤１０の下端部よりも上方へ延長されてなり、作業者により把持される把持部２２ａ，２３ａが設けられている。把持部２２ａ，２３ａの上端は、最下階乗場のフロアレベル１６よりも５００ｍｍ以上上方に位置している。
【００３３】  図３は図２の制御盤１０及び横部材２４ａ〜２４ｄの平面レイアウトの第１の例を示す平面図である。第１の例では、横部材２４ａ〜２４ｄは、真上から見て、２点鎖線で示す制御盤１０の領域に重ねて配置されている。即ち、横部材２４ａ〜２４ｄは、制御盤１０の直下に配置されている。
【００３４】  また、横部材２４ａ〜２４ｄは、昇降路壁３ａに対して平行に配置されている。横部材２４ａ〜２４ｄの奥行き寸法ｄ１は、例えば３０ｍｍ程度である。昇降路壁３ａと横部材２４ａ〜２４ｄの先端（昇降路壁３ａとは反対側の端部）までの距離は、例えば１５０ｍｍ以上である。筐体１１の厚さ寸法は、例えば１００ｍｍ程度である。
【００３５】  図４は図２の制御盤１０及び横部材２４ａ〜２４ｄの平面レイアウトの第２の例を示す平面図である。第２の例では、横部材２４ａ〜２４ｄは、真上から見て、制御盤１０の領域とは重なっていない。しかし、横部材２４ａ〜２４ｄは、真上から見て、制御盤１０とカゴ１の第１の側面１ｃとの間の領域（図４の斜線を付した領域）に重ねて配置されている。即ち、横部材２４ａ〜２４ｄは、制御盤１０の直下からカゴ１側へオフセットして配置されている。
【００３６】  このような機械室レスエレベータでは、ピット１７内に常設かつ固定されている横部材２４ａ〜２４ｄが、制御盤１０の下方に配置されており、かつ、真上から見て、制御盤１０の領域又は制御盤１０とカゴ１との間の領域に重ねて配置されているので、ピット１７内のデッドスペースに梯子２１を効率的に設置するとともに、ピット１７に出入りする際の利便性を向上させることができる。
【００３７】  また、支柱２２，２３の上端部を延長するだけの簡単な構成により、把持部２２ａ，２３ａを形成することができ、ピット１７に出入りする際の利便性をさらに向上させることができる。
【００３８】  さらに、共通の下側腕部材１５により、制御盤１０及び梯子２１をカゴガイドレール７ａに対して固定することができ、部品点数の増加を防止することができる。
【００３９】  なお、把持部は、いずれか一方の支柱のみに設けてもよい。  また、横部材の数及び間隔は、ピットの深さに応じて適宜変更可能である。
【００４０】  実施の形態２．  次に、図５はこの発明の実施の形態２による機械室レスエレベータの制御盤１０の周辺を示す正面図である。最上段の横部材２４ａよりも上方の支柱２２，２３間には、機器固定部材２５が水平に固定されている。機器固定部材２５には、制御盤１０の下端部が固定されている。下側腕部材１５は、省略されている。他の構成は、実施の形態１と同様である。
【００４１】  このような構成によっても、ピット１７内のデッドスペースを効率的に利用しつつ、ピット１７に出入りする際の利便性を向上させることができる。
【００４２】  また、実施の形態１では、梯子２１は、ピット１７の床面１７ａと下側腕部材１５とで支持されており、制御盤１０は、梯子２１を支持する構造部材としては使用されていない。これに対して、実施の形態２では、筐体１１が梯子２１を支持する構造部材の１つとして使用されている。これにより、下側腕部材１５及びそれをカゴガイドレール７ａに固定する締結具を省略することができる。
【００４３】  実施の形態３．  次に、図６はこの発明の実施の形態３による機械室レスエレベータの制御盤１０の周辺を示す正面図である。実施の形態３では、実施の形態２よりも高さ寸法が小さい筐体１１が用いられている。また、制御盤１０の下端部は、実施の形態２のものよりも上方に位置している。
【００４４】  さらに、支柱２２，２３の上端部は、上側腕部材１４に固定されている。このため、支柱２２，２３間には、横部材２４ａ〜２４ｄに加えて、横部材２４ｅ〜２４ｇが固定されている。即ち、横部材２４ａ〜２４ｇの数が実施の形態２よりも多い。他の構成は、実施の形態２と同様である。
【００４５】  このような構成によっても、ピット１７内のデッドスペースを効率的に利用しつつ、ピット１７に出入りする際の利便性を向上させることができる。また、制御盤１０に荷重負担させずに下側腕部材１５を省略することができる。さらに、支柱２２，２３の制御盤１０の両側を通る部分を把持部として利用することができる。
【００４６】  実施の形態４．  次に、図７はこの発明の実施の形態４による機械室レスエレベータの制御盤１０の周辺を示す正面図である。カゴガイドレール７ａの下側腕部材１５の下方には、梯子用腕部材２６が水平に固定されている。梯子用腕部材２６は、複数のレールクリップを用いてカゴガイドレール７ａに固定されている。
【００４７】  支柱２２，２３の上端部は、下側腕部材１５まで延長されておらず、梯子用腕部材２６に固定されている。実施の形態４の梯子２１は、上側腕部材１４、下側腕部材１５及び制御盤１０には、直接固定されていない。梯子用腕部材２６は、最上段の横部材（固定式ステップ）としても機能する。
【００４８】  実施の形態４のピット出入り装置３１は、梯子２１と、梯子用腕部材２６と、梯子２１とは別に制御盤１０に設けられており、作業者により把持される一対の棒状の把持部材３２，３３とを有している。把持部材３２，３３は、制御盤１０の幅方向両側に垂直に固定されている。他の構成は、実施の形態１と同様である。
【００４９】  このような構成によっても、ピット１７内のデッドスペースを効率的に利用しつつ、ピット１７に出入りする際の利便性を向上させることができる。また、制御盤１０及び梯子２１の現地据付作業を別々に行うことができる。さらに、梯子２１のサイズが小さく、出荷時の梱包性に優れている。
【００５０】  実施の形態５．  次に、図８はこの発明の実施の形態５による機械室レスエレベータの制御盤１０の周辺を示す正面図である。実施の形態５のピット出入り装置３５は、カゴガイドレール７ａに固定されている平板状のアダプタ３６と、アダプタ３６に固定されている固定式ステップとしての足場台３７と、足場台３７とは別にカゴガイドレール７ａに固定されており、作業者により把持される把持部材３８とを有している。
【００５１】  アダプタ３６は、下側腕部材１５の下方でカゴガイドレール７ａに固定されている。把持部材３８は、下側腕部材１５の上方でカゴガイドレール７ａに固定されており、制御盤１０の背面側で制御盤１０と交差している。アダプタ３６及び把持部材３８は、それぞれ複数のレールクリップを用いて、カゴガイドレール７ａに固定されている。
【００５２】  アダプタ３６及び把持部材３８は、カゴガイドレール７ａ，７ｂから、上側腕部材１４及び下側腕部材１５と同じ方向へ突出している。把持部材３８の先端部は、制御盤１０よりも乗場側に位置している。また、把持部材３８の先端部には、孔を設けてなる把持部３８ａが設けられている。
【００５３】  足場台３７は、アダプタ３６の昇降路壁３ａとは反対側の面に固定されている。また、足場台３７は、作業者の足が乗せられる水平な上面３７ａを有している。さらに、足場台３７は、実施の形態１の横部材２４ａ〜２４ｄと同様に、制御盤１０の下方に配置されており、かつ、真上から見て、制御盤１０の領域又は制御盤１０とカゴ１との間の領域に重ねて配置されている。
【００５４】  足場台３７の上面３７ａの高さ方向の位置は、最下階乗場のフロアレベル１６と、ピット１７の床面１７ａとの中間付近である。把持部材３８の高さ方向の位置は、下側腕部材１５及びフロアレベル１６よりも５００ｍｍ程度上方である。他の構成は、実施の形態１と同様である。
【００５５】  このような構成によっても、ピット１７内のデッドスペースを効率的に利用しつつ、ピット１７に出入りする際の利便性を向上させることができる。また、実施の形態１〜４と比べて、部品点数が少なく、かつサイズが小さくて済み、特にピット深さが浅い場合に適している。
【００５６】  また、把持部材３８が、制御盤１０とは独立してカゴガイドレール７ａに固定されているので、制御盤１０にはピット出入り装置３５で必要とされる剛性は要求されない。
【００５７】  実施の形態６．  次に、図９はこの発明の実施の形態６による機械室レスエレベータの制御盤１０の周辺を示す正面図である。実施の形態６のピット出入り装置４１は、アダプタ３６と、足場台３７と、筐体１１の扉を兼ねる把持部材４２とを有している。把持部材４２は、筐体１１の前面に回転可能（開閉可能）に取り付けられている。また、把持部材４２は、図９のように、乗場側へ開いた状態でロックすることが可能である。他の構成は、実施の形態５と同様である。
【００５８】  このような構成によっても、ピット１７内のデッドスペースを効率的に利用しつつ、ピット１７に出入りする際の利便性を向上させることができる。また、把持部材４２が筐体１１の扉を兼ねているので、非使用時に把持部材４２を制御盤の一部として収納しておくことができる。さらに、実施の形態５の把持部材３８及びそれをカゴガイドレール７ａに固定する締結具を省略することができる。
【００５９】  実施の形態７．  次に、この発明の実施の形態７による機械室レスエレベータについて説明する。実施の形態７では、釣合オモリ２は、カゴ１と同じ高さに位置するときに、第１の側面１ｃと対向するように、カゴ１の側方に配置されている。
【００６０】  また、巻上機４は、昇降路３内の最下階付近に設置されており、かつ、真上から見て第１の側面１ｃとそれに対向する昇降路壁３ａとの間に配置されている。即ち、実施の形態７の最下階設置機器は、巻上機４である。
【００６１】  さらに、巻上機４は、カゴガイドレール７ａよりもカゴ１の前後方向の前側に配置されている。釣合オモリ２は、カゴガイドレール７ａよりもカゴ１の前後方向の後ろ側に配置されている。
【００６２】  図１０は実施の形態７による機械室レスエレベータの巻上機４の周辺を示す正面図である。巻上機４は、巻上機枠１８に固定されている。巻上機枠１８は、巻上機嵩上げ台５２を介して、ピット１７の床面１７ａに固定されている。
【００６３】  巻上機嵩上げ台５２は、垂直に立てられている一対の支柱５３，５４と、作業者の足が乗せられる固定式ステップとしての複数の横部材５５ａ〜５５ｄとを有しており、梯子を兼ねている。支柱５３，５４の下端部は、床面１７ａ上に設けられているピットベース１９に固定されている。横部材５５ａ〜５５ｄは、上下方向に互いに間隔（例えば２５０〜３５０ｍｍ）をおいて、支柱５３，５４間に水平に固定されている。
【００６４】  横部材５５ａ〜５５ｄは、真上から見て、巻上機４の領域に重ねて配置されている。即ち、横部材５５ａ〜５５ｄは、巻上機４の直下に配置されている。若しくは、横部材５５ａ〜５５ｄは、真上から見て、巻上機４とカゴ１の第１の側面１ｃとの間の領域に重ねて配置されている。
【００６５】  このように、実施の形態７の巻上機４と横部材５５ａ〜５５ｄとの位置関係は、実施の形態１の制御盤１０と横部材２４ａ〜２４ｄとの関係（図３又は図４）と同様である。
【００６６】  巻上機４は、その下端部が最下階乗場のフロアレベル１６よりも上方に位置するように配置されている。巻上機枠１８の幅方向両側には、作業者により把持される一対の棒状の把持部材５６，５７が垂直に固定されている。実施の形態７のピット出入り装置５１は、嵩上げ台５２と、把持部材５６，５７とを有している。他の構成は、実施の形態１と同様である。
【００６７】  このような機械室レスエレベータでは、ピット１７内に常設かつ固定されている横部材５５ａ〜５５ｄが、巻上機４の下方に配置されており、かつ、真上から見て、巻上機４の領域又は巻上機４とカゴ１との間の領域に重ねて配置されているので、ピット１７内のデッドスペースにピット出入り装置５１を効率的に設置するとともに、ピット１７に出入りする際の利便性を向上させることができる。
【００６８】  また、巻上機４の設置位置を高くするための嵩上げ台５２を梯子として利用するので、嵩上げ台と梯子とを別々に用いる場合に比べて、部品点数を削減し、ピット１７内のスペースをさらに有効に利用することができる。
【００６９】  実施の形態８．  次に、図１１はこの発明の実施の形態８による機械室レスエレベータの巻上機４の周辺を示す正面図である。実施の形態８のピット出入り装置６１は、嵩上げ台５２と、把持部材５６，５７と、追加ステップ６２とを有している。ピット１７の深さは、実施の形態７よりも浅く、そのため横部材５５ｂ〜５５ｄは省略されている。即ち、支柱５３，５４間には、横部材５５ａのみが固定されている。
【００７０】  追加ステップ６２は、真上から見てカゴ１の前面１ａに対向するピット１７の壁面１７ｂに固定されている。また、追加ステップ６２は、作業者の足が乗せられる水平な上面６２ａを有している。さらに、追加ステップ６２の上面６２ａの高さ方向の位置は、最下階乗場のフロアレベル１６と、横部材５５ａとの中間付近である。
【００７１】  追加ステップ６２は、真上から見て、カゴ１と部分的に重なる位置に配置されている。しかし、カゴ１が通常の移動範囲を超えて下降し、カゴ緩衝器９を全圧縮しても、追加ステップ６２はカゴ１と干渉しない。他の構成は、実施の形態７と同様である。
【００７２】  このような構成によっても、ピット１７内のデッドスペースを効率的に利用しつつ、ピット１７に出入りする際の利便性を向上させることができる。また、実施の形態７と比べて、部品点数が少なく、かつサイズが小さくて済み、特にピット深さが浅い場合に適している。
【００７３】  なお、上記の例では、盤装置として制御盤１０を示したが、盤装置はこれに限定されるものではなく、例えば、監視盤、分電盤、配電盤、又は受電盤等であってもよい。  また、上記の例では、乗場から見て、カゴ１の右側の側面を第１の側面１ｃとしたが、左側を第１の側面としてもよい。  さらに、上記の例では、盤装置又は巻上機を最下階設置機器としたが、両方を最下階設置機器としてもよい。  さらにまた、盤装置を最下階設置機器とした場合、巻上機は、例えば昇降路内の上部など、昇降路内のどこに配置してもよい。巻上機を最下階設置機器とした場合も、盤装置は昇降路内のどこに配置してもよい。  また、カゴ１、釣合オモリ２、巻上機４及び制御盤１０等のレイアウト、並びにローピング方式等は、上記の例に限定されるものではない。  さらに、実施の形態１〜８を適宜組み合わせて実施することもできる。例えば、実施の形態４の把持部材３２，３３を実施の形態１、２、５、６の制御盤１０に取り付けることもできる。また、実施の形態５又は６の把持部材３８又は４２を実施の形態１〜４に適用することもできる。さらに、実施の形態８の追加ステップ６２を実施の形態１〜６に追加することもできる。
【図１】
2016166882.tif 000003
【図２】
2016166882.tif 000004
【図３】
2016166882.tif 000005
【図４】
2016166882.tif 000006
【図５】
2016166882.tif 000007
【図６】
2016166882.tif 000008
【図７】
2016166882.tif 000009
【図８】
2016166882.tif 000010
【図９】
2016166882.tif 000011
【図１０】
2016166882.tif 000012
【図１１】
2016166882.tif 000013
【国際調査報告】
2016166882.tif 000014
2016166882.tif 000015
2016166882.tif 000016
2016166882.tif 000017